(57)【特許請求の範囲】
【請求項１】
コミュニティの利用者間で記事を投稿し閲覧するための利用者端末と、少なくとも前記記事と記事登録データと該記事の内容に対する評価値を含む評価データとを記事データベースに登録して、前記利用者端末に、前記記事と前記記事登録データと前記評価データとを配信する記事配信装置とを通信ネットワークを介して接続する記事配信システムであって、
前記記事配信装置は、
前記利用者端末からの記事配信要求を受け付けて、該当する記事と前記記事登録データとを当該利用者端末に送信する記事送信手段と、
該記事送信手段から当該利用者端末に送信され、閲覧された前記記事の中から任意に引用された引用部分を含む、当該利用者端末からの返信記事を受け付けて、該返信記事と対応する前記記事登録データとを前記記事データベースに登録する返信記事登録手段と、
該返信記事登録手段で登録した前記返信記事の内容から、当該返信記事全体の記事量と前記引用部分の引用量と、前記記事量に対する前記引用量が占める引用割合とを含む当該評価値を所定の算出方法で算出すると共に、関連する前記返信記事が複数あるときは、算出された前記評価値を累計して、前記評価データとして前記記事データベースに登録する記事評価値登録手段とを備えると共に、
前記記事送信手段は、前記記事データベースに前記評価データが登録されているときに、前記利用者端末からの記事配信要求を受け付けると、該当する記事と前記記事登録データと前記評価データとを当該利用者端末に送信することを特徴とする記事配信システム。
【請求項２】
前記評価データは、前記引用部分についての前記引用量に加えて、前記引用部分を積算した引用箇所数を含むことを特徴とする請求項１記載の記事配信システム。
【請求項３】
前記評価データは、前記記事を閲覧して投稿した前記記事の件数を積算した投稿件数を含むことを特徴とする請求項１又は２記載の記事配信システム。
【請求項４】
関連する前記記事の集合であるスレッドを管理すると共に、前記スレッド毎に、少なくとも前記記事と前記記事登録データと前記評価データとを記事データベースに登録することを特徴とする請求項１記載の記事配信システム。
【請求項５】
前記利用者端末では、前記記事配信装置から前記記事送信手段を介して送信されてきた、前記記事登録データと前記評価データとに含まれる任意の情報が、記事毎に一覧表示され、利用者は、前記情報の一覧表示を参照して、記事を選択して配信要求を行う構成になされていることを特徴とする請求項４記載の記事配信システム。
【請求項６】
前記記事配信装置は、運営者端末と通信ネットワークを介して接続され、
前記運営者端末からのスレッド検索要求を受け付けると、前記記事送信手段を介して、前記記事登録データと前記評価データとを当該運営者端末に送信することを特徴とする請求項１記載の記事配信システム。
【請求項７】
コミュニティの利用者間で記事を投稿し閲覧するための利用者端末と、少なくとも前記記事と記事登録データと該記事の内容に対する評価値を含む評価データとを記事データベースに登録して、前記利用者端末に、前記記事と前記記事登録データと前記評価データとを配信する記事配信装置とを通信ネットワークを介して接続する記事配信システムに用いられる記事配信方法であって、
前記記事配信装置に、
前記利用者端末からの記事配信要求を受け付けて、該当する記事と前記記事登録データを当該利用者端末に送信する記事送信工程と、
該記事送信工程で当該利用者端末に送信され、閲覧された前記記事の中から任意に引用された引用部分を含む、当該利用者端末からの返信記事を受け付けて、該返信記事と対応する記事登録データとを前記記事データベースに登録する返信記事登録工程と、
該返信記事登録工程で登録した前記返信記事の内容から、当該返信記事全体の記事量と前記引用部分の引用量と、前記記事量に対する前記引用量が占める引用割合とを含む当該評価値を所定の算出方法で算出すると共に、関連する前記返信記事が複数あるときは、算出された前記評価値を累計して、前記評価データとして前記記事データベースに登録する記事評価値登録工程とを自律的に行わせると共に、
前記記事送信工程では、前記記事データベースに前記評価データが登録されているときに、前記利用者端末からの記事配信要求を受け付けると、前記記事配信装置に、該当する記事と前記記事登録データと前記評価データとを当該利用者端末に送信させることを特徴とする記事配信方法。
【請求項８】
前記評価データは、前記引用部分についての前記引用量に加えて、前記引用部分を積算した引用箇所数を含むことを特徴とする請求項７記載の記事配信方法。
【請求項９】
前記評価データは、前記記事を閲覧して投稿した前記記事の件数を積算した投稿件数を含むことを特徴とする請求項７又は８記載の記事配信方法。
【請求項１０】
前記記事配信装置に、関連する前記記事の集合であるスレッドを管理させると共に、前記スレッド毎に、少なくとも前記記事と前記記事登録データと前記評価データとを記事データベースに登録させることを特徴とする請求項８記載の記事配信方法。
【請求項１１】
前記利用者端末では、配信要求を行う記事を選択する際の便宜のため、前記記事配信装置から送信されてきた、前記記事登録データと前記評価データとに含まれる任意の情報を、記事毎に一覧表示することを特徴とする請求項１０記載の記事配信方法。
【請求項１２】
コンピュータに請求項７乃至１１の何れか１に記載の記事配信方法を実行させることを特徴とする記事配信プログラム。
【発明の詳細な説明】
【技術分野】
【０００１】
この発明は、記事配信システム及び該システムに用いられる記事配信方法、記事配信プログラムに係り、詳しくは、コミュニティの利用者間で閲覧する記事の投稿を受け付ける利用者端末と、関連する前記記事の集合であるスレッドを管理すると共に、前記スレッド毎に、前記記事の内容を含む記事登録データと該記事の内容に対する評価値を含む評価データとを記事データベースに登録して、前記利用者端末に前記記事登録データと共に、前記評価データを配信する記事配信装置とを通信ネットワークを介して接続することを内容とする記事配信システム及び該システムに用いられる記事配信方法、記事配信プログラムに関する。
【背景技術】
【０００２】
従来のコミュニティの記事投稿配信サービスでは、投稿された記事は、投稿時間順又は評価値の高い順に表示することが行われ、それぞれの記事に対する評価は、利用者が評価を入力する方法や、利用者の参照・アクセス数や返信投稿数からの評価を算出することが行われていた。
この種の従来技術としては、下記の特許文献１や特許文献２等に記載のものが開示されている。まず、特許文献１に記載の「コミュニティの分析方法、および、コミュニティ分析サーバ」は、端末装置からのデータにその内容を示す属性を付与し、その属性とデータの発信者とデータの発信日時とに基づいて、コミュニティの状況を分析することにより、話題や意見に対する反応や見解を時間的な推移を示して分析することができる構成となっている。
【０００３】
次に、特許文献２に記載の「文書の関連付け方法及びそのシステム」は、時系列で順序付けられた記事の集合を、記事間の単語の一致度に基づいて、記事間の類似度を計算することにより、大量の記事を関連付けることができる構成となっている。
【特許文献１】特開２００３−２１６５６３号公報
【特許文献２】特開平１１−０５３３８７号公報
【発明の開示】
【発明が解決しようとする課題】
【０００４】
しかしながら、上記従来例にも不都合な点があり、例えば、特許文献１においては、データに含まれるキーワードより、話題提供、意見発言、意見反応等の属性を付与して、その属性の推移を分析することが主体となっており、また、特許文献２においても、記事間の類似度を計算して、大量の記事を関連付けることが目的であり、何れの特許文献においても、スレッド毎に購読者側の記事の関連度を評価することは行われていない問題があった。
【０００５】
この発明は、上述の事情に鑑みてなされたもので、コミュニティの利用者間での記事について、そのスレッドの活性化を評価し、その評価から活性化しているスレッドを把握することができる記事投稿配信サービスを実現する記事配信システム及び該システムに用いられる記事配信方法、記事配信プログラムを提供することを目的とする。
【課題を解決するための手段】
【０００６】
上記課題を解決するために、この発明の第１の構成は、コミュニティの利用者間で記事を投稿し閲覧するための利用者端末と、少なくとも前記記事と記事登録データと該記事の内容に対する評価値を含む評価データとを記事データベースに登録して、前記利用者端末に、前記記事と前記記事登録データと前記評価データとを配信する記事配信装置とを通信ネットワークを介して接続する記事配信システムに係り、前記記事配信装置は、前記利用者端末からの記事配信要求を受け付けて、該当する記事と前記記事登録データとを当該利用者端末に送信する記事送信手段と、該記事送信手段から当該利用者端末に送信され、閲覧された前記記事の中から任意に引用された引用部分を含む、当該利用者端末からの返信記事を受け付けて、該返信記事と対応する前記記事登録データとを前記記事データベースに登録する返信記事登録手段と、該返信記事登録手段で登録した前記返信記事の内容から、当該返信記事全体の記事量と前記引用部分の引用量と、前記記事量に対する前記引用量が占める引用割合とを含む当該評価値を所定の算出方法で算出すると共に、関連する前記返信記事が複数あるときは、算出された前記評価値を累計して、前記評価データとして前記記事データベースに登録する記事評価値登録手段とを備えると共に、前記記事送信手段は、前記記事データベースに前記評価データが登録されているときに、前記利用者端末からの記事配信要求を受け付けると、該当する記事と前記記事登録データと前記評価データとを当該利用者端末に送信することを特徴としている。
【０００７】
また、この発明の第２の構成は、コミュニティの利用者間で記事を投稿し閲覧するための利用者端末と、少なくとも前記記事と記事登録データと該記事の内容に対する評価値を含む評価データとを記事データベースに登録して、前記利用者端末に、前記記事と前記記事登録データと前記評価データとを配信する記事配信装置とを通信ネットワークを介して接続する記事配信システムに用いられる記事配信方法に係り、前記記事配信装置に、前記利用者端末からの記事配信要求を受け付けて、該当する記事と前記記事登録データを当該利用者端末に送信する記事送信工程と、該記事送信工程で当該利用者端末に送信され、閲覧された前記記事の中から任意に引用された引用部分を含む、当該利用者端末からの返信記事を受け付けて、該返信記事と対応する記事登録データとを前記記事データベースに登録する返信記事登録工程と、該返信記事登録工程で登録した前記返信記事の内容から、当該返信記事全体の記事量と前記引用部分の引用量と、前記記事量に対する前記引用量が占める引用割合とを含む当該評価値を所定の算出方法で算出すると共に、関連する前記返信記事が複数あるときは、算出された前記評価値を累計して、前記評価データとして前記記事データベースに登録する記事評価値登録工程とを自律的に行わせると共に、前記記事送信工程では、前記記事データベースに前記評価データが登録されているときに、前記利用者端末からの記事配信要求を受け付けると、前記記事配信装置に、該当する記事と前記記事登録データと前記評価データとを当該利用者端末に送信させることを特徴としている。
【発明の効果】
【００１８】
この発明の構成によれば、コミュニティの利用者間での記事について、システムの利用者は、そのスレッドの活性化レベルを把握することができ、配信要求すべき記事やスレッドを容易にサーチすることができる。
また、システムの運営者は、スレッドの活性化レベルを把握することができる。そして、スレッドに関係のない記事を減少させて、記事の内容が濃いスレッドが生成され、また、質の高い記事の投稿が促されることで、スレッドが活性化されるという効果もある。
【発明を実施するための最良の形態】
【００１９】
コミュニティの利用者間での記事について、そのスレッドの活性化を評価し、その評価から活性化しているスレッドを把握することができる記事配信システムを提供する目的を、利用者間で閲覧する記事の投稿を受け付ける利用者端末２と、記事登録データと評価データとを記事データベース１１に登録する記事配信装置１とを通信ネットワーク１００を介して接続し、記事配信装置１は、利用者端末２からの記事配信要求を受け付けて、該当する記事登録データを利用者端末２に送信する記事配信部１４（記事送信手段）と、記事配信部１４から送信された記事登録データより、記事を利用者端末２に表示し、引用部分を含む記事の入力を受け付けて、その記事登録データを記事データベース１１に登録する記事登録部１２（返信記事登録手段）と、記事登録部１２で登録した記事より、記事量と引用量と引用割合とを含む評価値を算出し、その評価データを記事データベース１１に登録する記事評価部１３（記事評価値登録手段）と、記事評価部１３（記事評価値登録手段）で登録した評価データより、スレッドを対象に評価値を算出し、その評価データを記事データベース１１に登録する記事評価部１３（スレッド評価値登録手段）とを備えたことによって実現した。
【００２０】
以下、図面を参照して、この発明の実施の形態について説明する。説明は、実施例を用いて具体的に行う。
【実施例】
【００２１】
図１は、この発明の実施例における記事配信システムの全体構成を示すブロック図であり、図２は、同システムの動作を説明するためのフローチャートである。
まず、記事配信システムの全体構成から説明する。この例の記事配信システムは、図１に示すように、コミュニティにおける記事配信装置１とインターネット等の通信ネットワーク１００を介して接続されるその利用者端末２と運営者端末３とから構成されている。
【００２２】
記事配信装置１は、記事配信システムを運営する運営者側が設置するワークステーション・サーバ等の情報処理装置であり、記事データベース１１と、記事登録部１２（返信記事登録手段）と、記事評価部１３（記事評価値登録手段、スレッド評価値登録手段）と、記事配信部１４（記事送信手段、記事選択手段）と、利用者データベース１５等から構成されている。
【００２３】
記事データベース１１は、記事登録部１２が受け付けた記事と、この記事に関連付けられた記事登録データと、この記事の内容に対する評価値を含む評価データとを保有する。記事登録データには、所属するスレッド識別番号、記事識別番号、リンク元記事識別番号、投稿年月日、投稿者情報等の情報が設定されており、評価データには、記事量、引用量、引用割合、引用箇所数、累計引用量、累計引用割合、累計引用箇所数、累計投稿件数等の評価値の情報が設定されている。
これらの情報の中で、スレッド識別番号、記事識別番号、リンク元記事識別番号、投稿年月日、投稿者情報等の情報は、投稿した記事に対して、記事登録部１２が登録し、記事量、引用量、引用割合、引用箇所数等の情報は、記事評価部１３が登録する。また、累計引用量、累計引用割合、累計引用箇所数、累計投稿件数等の情報は、投稿した記事を閲覧した複数の記事に対して、記事評価部１３が登録する。このように、記事データベース１１を、投稿記事の内容に対する評価値と、この記事を閲覧して投稿した複数の記事について、その評価値の累計とを対比した構造のデータベースにすることで、投稿記事とスレッドとに対する評価値を把握することができるように構成されている。
【００２４】
記事登録部１２は、利用者端末２の記事投稿部２１から新規記事や返信記事等の投稿記事を受け付けて、受け付けた記事と記事登録データとを記事データベース１１に登録する。記事登録データに設定されている投稿者情報には、利用者データベース１６の利用者登録情報を取得して設定する。また、新規記事や返信記事等の評価算出要求データを作成し、この評価算出要求データを記事評価部１３に受け渡す。
【００２５】
まず、投稿記事を受け付けて、受け付けた記事と記事登録データとを記事データベース１１に登録する処理について説明する。投稿記事を記事登録部１２が受け付ける度毎に、投稿記事に所属するスレッド識別番号が設定されているか否かをチェックして、受け付けた記事と共に、記事登録データの各情報に対して、以下のように設定して記事データベース１１に登録する。
（１）スレッド識別番号が設定されていない場合は、スレッド識別番号（新たにナンバリングした番号を設定）、記事識別番号（新たにナンバリングした番号を設定）、リンク元記事識別番号（ゼロを設定）等の情報を記事登録データに設定する。
（２）スレッド識別番号が設定されている場合は、スレッド識別番号（閲覧した記事のスレッド識別番号を設定）、記事識別番号（新たにナンバリングした番号を設定）、リンク元記事識別番号（閲覧した記事の記事識別番号を設定）等の情報を記事登録データに設定する。
【００２６】
次に、記事評価部１３に受け渡す新規記事や返信記事等の評価算出要求データの作成処理について説明する。
（１）新規記事の評価算出要求データには、スレッド識別番号（新たにナンバリングした番号を設定）、記事識別番号（新たにナンバリングした番号を設定）、リンク元記事識別番号（ゼロを設定）、記事（新規記事の内容を設定）、引用部分（空白を設定）、引用箇所数（ゼロを設定）、投稿件数（ゼロを設定）等の評価値の情報が設定されている。
（２）また、返信記事等の評価算出要求データには、スレッド識別番号（閲覧した記事のスレッド識別番号を設定）、記事識別番号（新たにナンバリングした番号を設定）、リンク元記事識別番号（閲覧した記事の記事識別番号を設定）、記事（返信記事の内容を設定）、引用部分（閲覧した記事の内容の引用部分を設定）、引用箇所数（閲覧した記事の内容の引用部分を積算した引用箇所数を設定）、投稿件数（１を設定）等の評価値の情報が設定されている。
【００２７】
記事評価部１３では、記事登録部１２からの評価算出要求データを受け付けて、投稿記事と閲覧した記事とについて、記事データベース１１に登録されている評価データに対して更新を行う。評価算出要求データには、記事登録部１２が記事評価部１３に受け渡す評価算出要求データの作成処理で説明したように、スレッド識別番号、記事識別番号、リンク元記事識別番号、記事、引用部分、引用箇所数、投稿件数等の評価値の情報が設定されている。
【００２８】
次に、投稿記事と閲覧した記事とについて、評価データに対する更新処理について説明する。
（１）投稿記事についての評価データに対する更新は、評価算出要求データのスレッド識別番号と記事識別番号とに基づいて、記事データベース１１を検索し、該当する評価データを取得し、取得した評価データの各評価値の情報に対して、評価算出要求データの各評価値の情報を以下のように設定して更新する。
設定内容は、評価算出要求データの記事と引用部分の情報から記事量と引用量とを所定の算出方法で求め、記事量（算出した記事量を設定）、引用量（算出した引用量を設定）、引用割合（記事量に対する引用量の割合を算出して設定）、引用箇所数（引用箇所数を設定）、累計引用量（ゼロを設定）、引用割合（ゼロを設定）、累計引用箇所数（ゼロを設定）、累計投稿件数（ゼロを設定）等の各評価値の情報を更新する。
（２）閲覧記事についての評価データに対する更新は、評価算出要求データのスレッド識別番号と記事識別番号とに基づいて、記事データベース１１を検索し、該当する評価データを取得し、取得した評価データの各評価値の情報に対して、評価算出要求データの各評価値の情報を以下のように設定して更新する。
設定内容は、累計引用量（算出した引用量を加算して設定）、引用割合（記事量に対する累計引用量の割合を算出して設定）、累計引用箇所数（引用箇所数を加算して設定）、累計投稿件数（投稿件数を加算して設定）等の各評価値の情報を更新する。
また、評価算出要求データに設定された記事から記事量の算出方法や、引用部分に対する引用量の算出方法については、記事や引用部分の文字数をカウントし、この文字数を記事量や引用量とする方法等で行う。
【００２９】
記事配信部１４は、利用者端末２の記事配信要求部２２から記事配信要求を受け付けて、記事配信要求に該当する１つ又は複数の記事を記事データベース１１から抽出して、利用者端末２の記事表示部２３に配信する。
【００３０】
利用者データベース１５には、記事の投稿者と投稿された記事の配信を受け付ける購読者について、利用者登録情報や利用者端末２からの記事データベース１１へのアクセス履歴情報が登録されている。
【００３１】
利用者端末２と運営者端末３とは、ＰＣ（Personal Computer）、ＰＤＡ（Personal Digital Assistant）、データ通信可能な携帯端末等であり、記事投稿部２１と、記事配信要求部２２と、記事表示部２３等から構成されている。記事投稿部２１は投稿者によって用いられ、その他は購読者や記事配信システムを運営する運営者側によって用いられる。
【００３２】
記事投稿部２１は、記事配信装置１の記事登録部１２に記事を投稿する。投稿方法としては、Ｗｅｂ（World-Wide Web）上に構築した記事配信装置１の投稿窓口に利用者端末２のＷｅｂブラウザでアクセスし、利用者端末２内の作成完了した記事ファイルを指定して、アップロードする方法で行われる。記事フォーマットの一例としては、ＨＴＭＬ（HyperText Markup Language）形式のファイルがあげられ、この発明では、当該ＨＴＭＬから参照されている一連の静止画や動画ファイルを一塊にしたものを記事と称する。
【００３３】
記事配信要求部２２は、記事配信装置１の記事配信部１５に記事配信を要求する。
記事表示部２３は、記事配信装置１の記事配信部１５からの記事を受け付けて、利用者端末２で表示する。
【００３４】
次に、図１と図２を参照して、記事配信システムの動作について説明する。
まず、利用者Ａが利用者端末２から新規記事を投稿すると（ステップＳ１）、この新規記事を記事登録部１２が受け付けて、記事データベース１１に登録する（ステップＳ２）。また、利用者Ａが新規利用者の場合は、利用者データベース１６に利用者登録情報を登録し、新規利用者でない場合は、アクセス履歴情報のみを登録する（ステップＳ３）。
【００３５】
次に、別の利用者Ｂもしくは利用者Ａが、利用者端末２からの記事配信要求を行う（ステップＳ４）。この記事配信要求は、配信要求を行う記事の記事識別番号等の情報を付加して要求を行う。
次に、この記事配信要求を記事配信部１４が受け付けて、記事配信要求に該当する記事と記事登録データとを、記事データベース１１を検索して記事表示部２３に送信する。また、この際に、配信要求を行った記事登録データを取得する（ステップＳ５：記事送信手段、返信記事登録工程）。
【００３６】
次に、記事表示部２３は、ステップＳ５で送信した記事を受け付けて表示し（ステップＳ６）、利用者Ｂは、表示された記事を閲覧し、その記事の内容に含まれる一部の引用部分を含む返信記事を投稿する（ステップＳ７）。
次に、返信記事が投稿されると、その返信記事を記事登録部１２が受け付けて、その返信記事がどのスレッドに所属するかのチェックを行い（ステップＳ８）、スレッド識別番号（ステップＳ５で取得したスレッド識別番号を設定）と、記事識別番号（新たにナンバリングした番号を設定）と、リンク元記事識別番号（ステップＳ５で取得した記事識別番号を設定）等の情報を設定した記事登録データと、返信記事とを記事データベース１１に登録する。
【００３７】
次に、記事評価部１３が、投稿した返信記事について、ステップＳ５で取得したスレッド識別番号とステップＳ８でナンバリングした記事識別番号に基づいて、記事データベース１１を検索して、該当する評価データを取得し、記事量（ステップＳ７で入力を受け付けた記事の内容から所定の算出方法で算出した記事量を設定）、引用量（ステップＳ７で入力を受け付けた引用部分から所定の算出方法で算出した引用量を設定）、引用割合（記事量に対する引用量の割合を算出して設定）、引用箇所数（ステップＳ７で入力を受け付けた引用部分を積算した引用箇所数を設定）、累計引用量（ゼロを設定）、累計引用割合（ゼロを設定）、累計引用箇所数（ゼロを設定）、累計投稿件数（ゼロを設定）等の各評価値の情報を評価データに設定して更新する（ステップＳ９：記事評価値登録手段、記事評価値登録工程）。
【００３８】
次に、記事評価部１３が、配信要求を行った閲覧記事について、ステップＳ５で取得した記事のスレッド識別番号と記事識別番号とに基づいて、記事データベース１１を検索して、該当する評価データを取得し、累計引用量（ステップＳ９で算出した引用量を加算して設定）、累計引用割合（記事量に対する累計引用量の割合を算出して設定）、累計引用箇所数（ステップＳ９で算出した引用箇所数を加算して設定）、累計投稿件数（ステップＳ８で返信記事を登録する際に積算した投稿件数を加算して設定）等の各評価値の情報を評価データに設定して更新する（ステップＳ１０：記事評価値登録手段、記事評価値登録工程）。
【００３９】
次に、利用者Ｃ（利用者Ａ、利用者Ｂ、又はそれ以外）が利用者端末２からの記事配信要求を行う。また、運営者の場合は、運営者端末３からスレッド検索要求を行う。（ステップＳ１１）。
次に、この記事配信要求やスレッド検索要求を記事配信部１４が受け付けて、記事配信要求に該当する記事と記事登録データと評価データとを、記事データベース１１を検索して記事表示部２３に送信する（ステップＳ１２）。
次に、記事表示部２３は、ステップＳ１２で送信した記事と記事登録データと評価データとを受け付けて、利用者Ｃや運営者は、記事登録データと評価データの中で、表示対象に必要な情報の選択を行い、選択した情報の中で、表示する情報を絞り込むための情報の値の範囲設定や、情報の表示順序を指定するための降順や昇順の並び順序設定等の表示条件の設定を行って、設定した情報の一覧を記事毎に表示する（ステップＳ１３）。
次に、利用者Ｃは、表示された記事量、累計引用量、引用割合、累計引用箇所数、累計投稿件数等の各評価値の情報を元に、情報の一覧の中から配信要求を行う記事を選択する（記事選択手段）。
以降、ステップＳ４〜ステップＳ１３の返信投稿が繰り返される。
【００４０】
このように、この実施例の構成によれば、コミュニティの利用者間で閲覧する記事の投稿を受け付ける利用者端末２と、記事登録データと評価データとを記事データベース１１に登録する記事配信装置１とを通信ネットワーク１００を介して接続し、記事配信装置１は、利用者端末２からの記事配信要求を受け付けて、該当する記事登録データを利用者端末２に送信する記事配信部１４（記事送信手段）と、記事配信部１４で送信した記事登録データより、記事を利用者端末２に表示し、引用部分を含む記事の入力を受け付けて、その記事登録データを記事データベース１１に登録する記事登録部１２（返信記事登録手段）と、記事登録部１２で登録した記事より、記事量と引用量と引用割合とを含む評価値を算出し、その評価データを記事データベース１１に登録する記事評価部１３（記事評価値登録手段）と、記事評価部１３（記事評価値登録手段）で登録した評価データより、スレッドを対象に評価値を算出し、その評価データを記事データベース１１に登録する記事評価部１３（スレッド評価値登録手段）とを構成している。
このことにより、システムの利用者や運営者は、スレッドの活性化を評価し、その評価から活性化しているスレッドを把握することができる。
【００４１】
以上、この発明の実施例を、図面に基づいて詳述してきたが、具体的な構成はこの実施例のみに限定されるものではなく、この発明の要旨を逸脱しない限りにおいて任意に設計変更等があってもこの発明に含まれる。
例えば、上述の実施例で、評価データに設定する情報として、スレッドにおける各評価値の動向を調査するために、任意の期間毎に各評価値の情報を設定できるようにしてもよい。
また、全体のスレッドの各評価値の合計に対するそれぞれのスレッドの合計の構成比を算出して表示して、全体のスレッドの中で、活性化しているスレッドを把握できるようにしてもよい。
【産業上の利用可能性】
【００４２】
スレッドの活性化を図るコミュニティサービス等を提供する記事配信システムに適用することができる。
【図面の簡単な説明】
【００４３】
【図１】この発明の実施例における記事配信システムの全体構成を示すブロック図である。
【図２】同システムの動作を説明するためのフローチャートである。
【符号の説明】
【００４４】
１  記事配信装置
１１  記事データベース
１２  記事登録部（返信記事登録手段）
１３  記事評価部（記事評価値登録手段、スレッド評価値登録手段）
１４  記事配信部（記事送信手段、記事選択手段）
１５  利用者データベース
２  利用者端末
３  運営者端末
２１  記事投稿部
２２  記事配信要求部
２３  記事表示部
１００  通信ネットワーク
【図１】
0004779618.tif 000002
【図２】
0004779618.tif 000003